(57)【要約】【課題】再利用用紙に適切に印刷を行うことができると共に原稿の中に片面原稿と両面原稿が入り混じった場合でもむだなく原稿の読取りを行うことができる画像形成装置及び方法，並びにプログラムを提供する。【解決手段】複写機１は、リーダ部２と、プリンタ部３とを有する。リーダ部２は、自動原稿読取り機能を有し、原稿の種類（片面原稿か両面原稿か）を検知すると共に、原稿を片面読取りモード又は両面読取りモードで読取る。プリンタ部３は、白用紙や再利用用紙に片面印刷モード又は両面印刷モードで印刷を行い、また、白用紙や再利用用紙に加えて両面印刷済み用紙の各用紙の種類を示す印刷識別情報を埋め込む埋め込み機能を有する。印刷識別情報が「こちらの面に印刷あり」のときは、原稿の裏面に印刷がなされていないか、又は原稿の裏面の印刷が無効であるため、原稿の片面のみの読取りを行い、同「裏面に印刷あり」のときは、原稿の裏面のみの片面読取りを行い、同「両面印刷あり」のときは、原稿の両面読取りを行う。【選択図】　　　図３
2004021021.tif 000002
【特許請求の範囲】
【請求項１】
出力用紙に印刷を行う印刷手段を備える画像形成装置において、前記印刷手段は、前記出力用紙に片面印刷を行う場合は前記出力用紙の印刷面に「片面」の印刷認識情報を埋め込み、前記出力用紙に両面印刷を行う場合は「両面」の印刷認識情報を埋め込むことを特徴とする画像形成装置。
【請求項２】
前記出力用紙に前記印刷情報が埋め込まれているか否かを検知する検知手段を備え、前記印刷手段は、前記出力用紙の印刷面に「片面」の印刷認識情報が埋め込まれている場合は、当該出力用紙の非印刷面に印刷を行うと共に、前記印刷用紙の印刷面の「片面」情報を無効にし且つ前記印刷が行われた非印刷面に「片面」の印刷認識情報を埋め込むことを特徴とする請求項１記載の画像形成装置。
【請求項３】
前記出力用紙に「両面」の印刷認識情報が埋め込まれている場合は、当該出力用紙の印刷を禁止する禁止手段を備えることを特徴とする請求項２記載の画像形成装置。
【請求項４】
前記印刷認識情報は前記出力用紙の向きの情報を含むことを特徴とする請求項１乃至３のいずれか１項に記載の画像形成装置。
【請求項５】
原稿を読取る原稿読取り手段を備える画像形成装置において、前記読取り手段は、前記原稿の表面に「片面」の印刷認識情報が埋め込まれている場合は当該表面を読取り、前記原稿に「両面」の印刷認識情報が埋め込まれている場合は当該原稿の両面を読取ることを特徴とする画像形成装置。
【請求項６】
前記原稿読取り手段は、ユーザの設定により任意に作動することを特徴とする請求項５記載の画像形成装置。
【請求項７】
前記印刷認識情報は前記原稿の向きの情報を含むことを特徴とする請求項５又は６記載の画像形成装置。
【請求項８】
出力用紙に印刷を行う印刷ステップを備える画像形成方法において、前記印刷ステップは、前記出力用紙に片面印刷を行う場合は前記出力用紙の印刷面に「片面」の印刷認識情報を埋め込み、前記出力用紙に両面印刷を行う場合は「両面」の印刷認識情報を埋め込むことを特徴とする画像形成方法。
【請求項９】
前記出力用紙に前記印刷情報が埋め込まれているか否かを検知する検知ステップを備え、前記印刷ステップは、前記出力用紙の印刷面に「片面」の印刷認識情報が埋め込まれている場合は、当該出力用紙の非印刷面に印刷を行うと共に、前記印刷用紙の印刷面の「片面」情報を無効にし且つ前記印刷が行われた非印刷面に「片面」の印刷認識情報を埋め込むことを特徴とする請求項８記載の画像形成方法。
【請求項１０】
前記出力用紙に「両面」の印刷認識情報が埋め込まれている場合は、当該出力用紙の印刷を禁止する禁止ステップを備えることを特徴とする請求項９記載の画像形成方法。
【請求項１１】
前記印刷認識情報は前記出力用紙の向きの情報を含むことを特徴とする請求項８乃至１０のいずれか１項に記載の画像形成方法。
【請求項１２】
原稿を読取る原稿読取りステップを備える画像形成方法において、前記読取りステップは、前記原稿の表面に「片面」の印刷認識情報が埋め込まれている場合は当該表面を読取り、前記原稿に「両面」の印刷認識情報が埋め込まれている場合は当該原稿の両面を読取ることを特徴とする画像形成方法。
【請求項１３】
前記原稿読取りステップは、ユーザの設定により任意に作動することを特徴とする請求項１２記載の画像形成方法。
【請求項１４】
前記印刷認識情報は前記原稿の向きの情報を含むことを特徴とする請求項１２又は１３記載の画像形成方法。
【請求項１５】
出力用紙に印刷を行う印刷ステップをコンピューターに実行させる画像形成プログラムにおいて、前記印刷ステップは、前記出力用紙に片面印刷を行う場合は前記出力用紙の印刷面に「片面」の印刷認識情報を埋め込み、前記出力用紙に両面印刷を行う場合は「両面」の印刷認識情報を埋め込むことを特徴とする画像形成プログラム。
【請求項１６】
原稿を読取る原稿読取りステップをコンピューターに実行させる画像形成プログラムにおいて、前記読取りステップは、前記原稿の表面に「片面」の印刷認識情報が埋め込まれている場合は当該表面を読取り、前記原稿に「両面」の印刷認識情報が埋め込まれている場合は当該原稿の両面を読取ることを特徴とする画像形成プログラム。
【発明の詳細な説明】
【０００１】
【発明の属する技術分野】
本発明は、画像形成装置及び方法、並びにプログラムに関する。
【０００２】
【従来の技術】
近年、コスト削減や環境保全等の目的で、多くの企業、官庁、団体及び個人等では、一度印刷した用紙を印刷用紙として再利用することが多くなってきており、また、視覚障害等の障害を持つ人でも印刷用紙の再利用等に対応できる画像形成装置が求められている。
【０００３】
従来の画像形成装置では、原稿の中に片面原稿と両面原稿が入り混じっている場合、原稿の種類（両面原稿か片面原稿か）に関係なく両面印刷機能を使用して原稿の読取りや印刷を行うか、又は連続読取り機能を使用して検知した原稿の種類が両面原稿なのか片面原稿なのかに応じて、ユーザがその都度印刷モード（両面印刷モードか片面印刷モードか）の切替えを行う。
【０００４】
【発明が解決しようとする課題】
しかしながら、前者の場合は、片面原稿に対して両面読取りを行う等の不要な読取りを行ったり、両面印刷済み用紙に対して不要な印刷を行う等の問題があった。
【０００５】
また、後者の場合は、原稿の種類（両面原稿か片面原稿か）を視覚により認識できない視覚障害者は、連続読取り機能で検知した原稿の種類（両面原稿か片面原稿か）に応じて、連続読取り機能の印刷モード（両面印刷モードか片面印刷モードか）の切替えを行うことができない。
【０００６】
本発明の目的は、再利用用紙に適切に印刷を行うことができると共に原稿の中に片面原稿と両面原稿が入り混じった場合でもむだなく原稿の読取りを行うことができる画像形成装置及び方法，並びにプログラムを提供することにある。
【０００７】
【課題を解決するための手段】
上述の目的を達成するために、請求項１記載の画像形成装置は、出力用紙に印刷を行う印刷手段を備える画像形成装置であって、前記印刷手段は、前記出力用紙に片面印刷を行う場合は前記出力用紙の印刷面に「片面」の印刷認識情報を埋め込み、前記出力用紙に両面印刷を行う場合は「両面」の印刷認識情報を埋め込むことを特徴とする。
【０００８】
請求項２記載の画像形成装置は、請求項１記載の画像形成装置において、前記出力用紙に前記印刷情報が埋め込まれているか否かを検知する検知手段を備え、前記印刷手段は、前記出力用紙の印刷面に「片面」の印刷認識情報が埋め込まれている場合は、当該出力用紙の非印刷面に印刷を行うと共に、前記印刷用紙の印刷面の「片面」情報を無効にし且つ前記印刷が行われた非印刷面に「片面」の印刷認識情報を埋め込むことを特徴とする。
【０００９】
請求項３記載の画像形成装置は、請求項２記載の画像形成装置において、前記出力用紙に「両面」の印刷認識情報が埋め込まれている場合は、当該出力用紙の印刷を禁止する禁止手段を備えることを特徴とする。
【００１０】
請求項４記載の前記印刷認識情報は、請求項１乃至３のいずれか１項に記載の画像形成装置において、前記出力用紙の向きの情報を含むことを特徴とする。
【００１１】
上述の目的を達成するために、請求項５記載の画像形成装置は、原稿を読取る原稿読取り手段を備える画像形成装置であって、前記読取り手段は、前記原稿の表面に「片面」の印刷認識情報が埋め込まれている場合は当該表面を読取ると共に、前記原稿に「両面」の印刷認識情報が埋め込まれている場合は当該原稿の両面を読取ることを特徴とする。
【００１２】
請求項６記載の画像形成装置は、請求項５記載の画像形成装置において、前記原稿読取り手段が、ユーザの設定により任意に作動することを特徴とする。
【００１３】
請求項７記載の画像形成装置は、請求項５又は６記載の画像形成装置において、前記印刷認識情報が前記原稿の向きの情報を含むことを特徴とする。
【００１４】
上述の目的を達成するために、請求項８記載の画像形成方法は、出力用紙に印刷を行う印刷ステップを備える画像形成方法であって、前記印刷ステップは、前記出力用紙に片面印刷を行う場合は前記出力用紙の印刷面に「片面」の印刷認識情報を埋め込み、前記出力用紙に両面印刷を行う場合は「両面」の印刷認識情報を埋め込むことを特徴とする。
【００１５】
請求項９記載の画像形成方法は、請求項８記載の画像形成方法において、前記出力用紙に前記印刷情報が埋め込まれているか否かを検知する検知ステップを備え、前記印刷ステップは、前記出力用紙の印刷面に「片面」の印刷認識情報が埋め込まれている場合は、当該出力用紙の非印刷面に印刷を行うと共に、前記印刷用紙の印刷面の「片面」情報を無効にし且つ前記印刷が行われた非印刷面に「片面」の印刷認識情報を埋め込むことを特徴とする。
【００１６】
請求項１０記載の画像形成方法は、請求項９記載の画像形成方法において、前記出力用紙に「両面」の印刷認識情報が埋め込まれている場合は、当該出力用紙の印刷を禁止する禁止ステップを備えることを特徴とする。
【００１７】
請求項１１記載の画像形成方法は、請求項１０記載の画像形成方法において、前記印刷認識情報が前記出力用紙の向きの情報を含むことを特徴とする。
【００１８】
上述の目的を達成するために、請求項１２記載の画像形成方法は、原稿を読取る原稿読取りステップを備える画像形成方法において、前記読取りステップは、前記原稿の表面に「片面」の印刷認識情報が埋め込まれている場合は当該表面を読取ると共に、前記原稿に「両面」の印刷認識情報が埋め込まれている場合は当該原稿の両面を読取ることを特徴とする。
【００１９】
請求項１３記載の画像形成方法は、請求項１２記載の画像形成方法において、前記原稿読取りステップが、ユーザの設定により任意に作動することを特徴とする。
【００２０】
請求項１４記載の画像形成方法は、請求項１２又は１３記載の画像形成方法において、前記印刷認識情報が前記原稿の向きの情報を含むことを特徴とする。
【００２１】
上述の目的を達成するために、請求項１５記載の画像形成プログラムは、出力用紙に印刷を行う印刷ステップをコンピューターに実行させる画像形成プログラムにおいて、前記印刷ステップは、前記出力用紙に片面印刷を行う場合は前記出力用紙の印刷面に「片面」の印刷認識情報を埋め込み、前記出力用紙に両面印刷を行う場合は「両面」の印刷認識情報を埋め込むことを特徴とする。
【００２２】
上述の目的を達成するために、請求項１６記載の画像形成プログラムは、原稿を読取る原稿読取りステップをコンピューターに実行させる画像形成プログラムにおいて、前記読取りステップは、前記原稿の表面に「片面」の印刷認識情報が埋め込まれている場合は当該表面を読取り、前記原稿に「両面」の印刷認識情報が埋め込まれている場合は当該原稿の両面を読取ることを特徴とする。
【００２３】
【発明の実施の形態】
以下、本発明の実施の形態に係る画像形成装置について図面を参照して詳述する。
【００２４】
図１は、本発明の実施の形態に係る画像形成装置の外観斜視図である。
【００２５】
図１において、画像形成装置としての複写機１は、リーダ部２と、プリンタ部３と、ソータ部４とを有し、これらのリーダ部２、プリンタ部３及びソータ部４の作動は、図示しない制御部により制御される。プリンタ部３は、図示しない印刷用紙カセットを２つ有している。これらの印刷用紙カセットには、両面とも印刷がなされていない白用紙や、片面のみ印刷済みの再利用用紙がセットされる。本明細書において、「白用紙」とは、両面とも印刷がなされていないもの、「再利用用紙」とは、片面のみ印刷済みであって裏面が印刷されていないもの、また、白用紙や再利用用紙を総称して出力用紙と云う。
【００２６】
リーダ部２は、自動原稿読取り機能を有し、原稿の種類（片面原稿か両面原稿か）を検知すると共に、原稿を片面読取りモード又は両面読取りモードで読取ることができ、プリンタ部３は、白用紙や再利用用紙に片面印刷モード又は両面印刷モードで印刷を行うことができ、また、白用紙や再利用用紙に加えて両面印刷済み用紙の各用紙の種類を示す後述する図２の印刷識別情報を埋め込む埋め込み機能を有する。リーダ部２は、また、プリンタ部３によって埋め込まれた印刷識別情報を検知する検知機能を有し、検知した印刷識別情報に基づいて用紙の種類に応じた読取りを行う。プリンタ部３で印刷された白用紙又は再利用用紙はソータ部４上に排出される。
【００２７】
以下、図１のプリンタ部３の印刷識別情報における埋め込み機能を説明する。
【００２８】
図１のプリンタ部３により、再利用用紙には、その印刷面に「こちらの面に印刷あり」の印刷識別ラインが（図２（ｂ））、その裏面に「裏面に印刷あり」の印刷識別ラインが埋め込まれ（図２（ｃ））、両面印刷済み用紙には、その両面に「両面印刷あり」の印刷識別ラインが埋め込まれ（図２（ｄ））、再利用済みの再利用用紙には、その旧情報が印刷されている面に「無効印刷あり」の印刷識別ラインが（図２（ｅ））、新情報が印刷されている面に「こちらの面に印刷あり」の印刷識別ラインが埋め込まれる（図２（ｂ））。なお、白用紙は「印刷情報なし」の状態である（図２（ａ））。
【００２９】
図２の例では、印刷識別情報は印刷識別ラインのマークとして埋め込まれているが、印刷識別情報の表現方法については、これに限定されるものではない。
【００３０】
図３は、図１に係るプリンタ部３によって実行される印刷処理を示すフローチャートである。
【００３１】
図３において、印刷動作開始に際して、印刷設定が片面印刷か両面印刷かを判別し（ステップＳ３０１）、両面印刷であるときは、両面印刷ビットをＯＮにし（ステップＳ３０２）、片面印刷のときは片面印刷ビットをＯＮにする（ステップＳ３０３）。
【００３２】
次に、出力用紙に印刷識別情報がすでに埋め込まれているか否かを判別し（ステップＳ３０４）（検知手段）、印刷識別情報が埋め込まれていないときは、ユーザの印刷設定（両面印刷又は片面印刷）で印刷を行うべく、両面印刷ビットがＯＮであるか否かを判別する（ステップＳ３０５）。
【００３３】
ステップＳ３０５の判別の結果、両面印刷ビットがＯＮであるときは、「両面印刷あり」の印刷識別情報を出力用紙に埋め込みながら通常印刷を行い（ステップＳ３０６）、片面印刷ビットがＯＮであるときは、印刷面に「こちらの面に片面印刷あり」の情報を、非印刷面に「裏面に片面印刷あり」の印刷識別情報を出力用紙に埋め込みながら通常印刷を行って（ステップＳ３０７）、後述するステップＳ３１８の判別を実行する。
【００３４】
次に、ステップＳ３０４の判別の結果、出力用紙に印刷識別情報が埋め込まれているときは、埋め込まれている印刷識別情報が、「こちらの面に片面印刷あり」、「裏面に片面印刷あり」、「両面印刷あり」又は「無効印刷あり」であるかを判別する（ステップＳ３０８）。
【００３５】
ステップＳ３０８の判別の結果、印刷識別情報が「こちらの面に片面印刷あり」のときは（ステップＳ３０９）、裏面が使用できるのか（「裏面に片面印刷あり」）、使用できないのか（「無効印刷あり」）を判別しなければならないため、裏面のチェックを行い（ステップＳ３１０）、同「無効印刷あり」のときは（ステップＳ３１１）、裏面が必ず「こちらの面に片面印刷あり」の状態になっているため、これ以上印刷することは不可能なので、この出力用紙が排出されるのとは別のソータに出力用紙を排出し（ステップＳ３１２）、同「両面に印刷あり」のときも（ステップＳ３１１）、同様に印刷が不可能であるため同様に扱い（ステップＳ３１２）、次いで、次の出力用紙についてチェックを行って（ステップＳ３１３）、ステップＳ３０４以降の処理を実行する。
【００３６】
更に、ステップＳ３０８の判別の結果、印刷識別情報が「裏面に片面印刷あり」のときは（ステップＳ３１４）、現在の設定が片面印刷か両面印刷かを判別し（ステップＳ３１５）、片面ビットがＯＮであるときは、「裏面に片面印刷あり」の印刷識別情報を「こちらの面に片面印刷あり」に書き換え、裏面の「こちらの面に片面印刷あり」の情報を「無効印刷あり」に書き換えながら通常印刷を行い（ステップＳ３１７）、両面出力ビットがＯＮであるときは、その出力用紙は使用せず、この出力用紙が排出されるのとは別のソータに出力用紙を排出し（ステップＳ３１６）（禁止手段）、次いで、次の出力用紙についてチェックを行って（ステップＳ３１３）、ステップＳ３０４以降の処理を実行する。
【００３７】
ステップＳ３０６、ステップＳ３０７及びステップＳ３１７で印刷が行われた後は、すべての印刷が終了したか否か判別し（ステップＳ３１８）、終了したときは、本処理を終了し、終了していないときは、次の出力用紙のチェックを行って（ステップＳ３１３）、ステップＳ３０４以降の処理を実行する。
【００３８】
図３の処理では、例えば、図５において、表面及び裏面とも白紙用紙に「あいうえお　かきくけこ　さしすせそ」の片面印刷を行う場合、印刷面（表面）に「こちらの面に印刷あり」の印刷識別ライン５０１を埋め込み、非印刷（裏面）に「裏面に片面印刷あり」の印刷識別ライン５０２を埋め込む。また、表面には「あいうえお　かきくけこ　さしすせそ」、裏面には「たちつてと　なにぬねの　はひふへほ」を両面印刷を行う場合は、両面印刷であるため、両面に対し「両面印刷あり」５０３及び５０４の印刷識別ラインを埋め込む。
【００３９】
図４は、図１におけるリーダ部２によって実行される原稿読取り処理を示すフローチャートである。
【００４０】
図４において、まず、原稿面検知機能がＯＮになっているか否かを判別する（ステップＳ２０１）。
【００４１】
ステップＳ２０１の判別の結果、原稿面検知機能がＯＦＦであるときは、ユーザが設定した機能情報に基づいて原稿読取りを行い（ステップＳ２０２）、次いで、片面原稿情報がＯＮであるか否かを判別する（ステップＳ２０３）。
【００４２】
ステップＳ２０３の判別の結果、片面原稿情報がＯＮになっているときは、すべての原稿を片面読取りモードで読取り（ステップＳ２０４）、一方、片面原稿情報がＯＦＦになっているときは、すべての原稿を両面読取りモードで読取って（ステップＳ２０５）、本処理を終了する。
【００４３】
ステップＳ２０１の判別の結果、原稿面検知機能がＯＮになっているときは、原稿に印刷識別情報が埋め込まれているか否か判別する（ステップＳ２０６）。ステップＳ２０６の判別の結果、印刷識別情報が埋め込まれていないときは、原稿が他の複写機で印刷されたものであるので、原稿面検知機能がＯＮになっていても出力することができないので、ユーザが設定した読み取り設定（両面読み取り又は片面読み取り）に基づいて原稿読取りを行い（ステップＳ２０２）、一方、印刷識別情報が埋め込まれているときは、その情報が、「こちらの面に印刷あり」、「裏面に印刷あり」、「両面印刷あり」又は「無効印刷あり」であるか印刷識別情報の種類を判別する（ステップＳ２０７）。
【００４４】
ステップＳ２０７の判別の結果、印刷識別情報が「こちらの面に印刷あり」のときは（ステップＳ２０８）、原稿の裏面に印刷がなされていないか、又は原稿の裏面の印刷が無効であるため、原稿の片面のみの読取りを行い（ステップＳ２０９）、同「裏面に印刷あり」のときは（ステップＳ２１０）、原稿の裏面のみの片面読取りを行い（ステップＳ２１１）、同「両面印刷あり」のときは（ステップＳ２１２）、原稿の両面読取りを行い（ステップＳ２１３）、同「無効印刷あり」のときは（ステップＳ２１４）、裏面には「こちらの面に印刷あり」の情報が埋め込まれているため、原稿の裏面のみの片面読取りを行った（ステップＳ２１５）後、すべて原稿の読取りが終了したか否かを判別し（ステップＳ２１６）、未読取り原稿が存在するときは、次の原稿に対して、同様のチェックを行って（ステップＳ２１７）、ステップＳ２０６以降の処理を繰り返す一方、未読取りの原稿が存在しないときは、本処理を終了する。印刷識別情報が「両面印刷あり」のときは（ステップＳ２１２）、原稿の裏面をチェックすることなく原稿の読取りを行うので、原稿の読取り時間を短縮することができる。
【００４５】
図４の処理では、例えば、図６において、片面印刷がなされた原稿５００は、印刷面としての表（おもて）面及び非印刷面としての裏面を有する。原稿５００の表面には、「こちらの面に印刷あり」の印刷識別ライン５０１が埋め込まれている。原稿５００を表面の読取りを行うとき、原稿５００の表面のみ読取りを行い、原稿５００の裏面の読み取りを行うとき、「裏面に印刷あり」の印刷識別ライン５０２の認識が完了した時点で、それ以上の読取りを終了して、原稿５００の表面を読取ることができる。その際、表面の印刷識別ライン５０２を認識しなくても印刷されていることが原稿５０２の裏面を読取った時点で分かっているので、原稿５００の裏面のチェックを不要とすることができる。
【００４６】
図４の処理によれば、印刷識別情報が「こちらの面に印刷あり」のときは（ステップＳ２０８）、原稿の裏面に印刷がなされていないか、又は原稿の裏面の印刷が無効であるため、原稿の片面のみの読取りを行い（ステップＳ２０９）、同「裏面に印刷あり」のときは（ステップＳ２１０）、原稿の裏面のみの片面読取りを行い（ステップＳ２１１）、同「両面印刷あり」のときは（ステップＳ２１２）、原稿の両面読取りを行う（ステップＳ２１３）ので、従来の自動原稿送り装置で必要な原稿の両面読取りを不要とすることができる。加えて、図４の処理によれば、再利用用紙に印刷された片面原稿（裏面に不必要な情報あり）と白用紙に印刷された両面原稿（両面とも必要な情報）が混在しても必要な情報を取得することができるだけでなく、原稿を自動原稿送り装置に置く面（表裏）を統一する必要もなくなる。
【００４７】
また、図２の印刷識別ラインは、互いに直交する２本のラインから成るが、ラインの交差部の位置により原稿の向きを判別するようにしてもよく、例えば、ラインの交差部側が原稿の上向きと判別するようにしてもよい。このようにすることにより、原稿の向きを気にせずに原稿を自動原稿送り装置に供給可能となる。
【００４８】
【発明の効果】
以上詳細に説明したように、請求項１記載の画像形成装置、請求項８記載の画像形成方法、及び請求項１５記載の画像形成プログラムによれば、出力用紙に片面印刷を行う場合は出力用紙の印刷面に「片面」の印刷認識情報を埋め込み、出力用紙に両面印刷を行う場合は「両面」の印刷認識情報を埋め込むので、再利用用紙に適切に印刷することができる。
【００４９】
請求項２記載の画像形成装置、及び請求項９記載の画像形成方法によれば、出力用紙の印刷面に「片面」の印刷認識情報が埋め込まれている場合は、当該出力用紙の非印刷面に印刷を行うと共に、印刷用紙の印刷面の「片面」情報を無効にし且つ印刷が行われた非印刷面に「片面」の印刷認識情報を埋め込むので、再利用用紙に適切に印刷することができる。
【００５０】
請求項３記載の画像形成装置、及び請求項１０記載の画像形成方法によれば、出力用紙に「両面」の印刷認識情報が埋め込まれている場合は、当該出力用紙の印刷を禁止するので、両面印刷済用紙に対して不要な印刷を行うことを防止することができる。
【００５１】
請求項５記載の画像形成装置、請求項１２記載の画像形成方法、及び請求項１６記載の画像形成プログラムによれば、原稿の表面に「片面」の印刷認識情報が埋め込まれている場合は当該表面を読取り、原稿に「両面」の印刷認識情報が埋め込まれている場合は当該原稿の両面を読取るので、原稿の中に片面原稿と両面原稿が入り混じった場合でもむだなく原稿の読取りを行うことができる。
【図面の簡単な説明】
【図１】本発明の実施の形態に係る画像形成装置の外観斜視図である。
【図２】（ａ）　は、白用紙の初期状態を表す説明図であり、（ｂ）〜（ｅ）は、図１のプリンタ部３により埋め込まれる印刷識別ラインの説明図である。
【図３】図１に係るプリンタ部３によって実行される印刷処理を示すフローチャートである。
【図４】図１におけるリーダ部２によって実行される原稿読取り処理を示すフローチャートである。
【図５】図３の印刷処理の説明図である。
【図６】図４の原稿読取り処理の説明図である。
【符号の説明】
１　複写機
２　リーダ部
３　プリンタ部
４　ソータ部
【図１】
2004021021.tif 000003
【図２】
2004021021.tif 000004
【図３】
2004021021.tif 000005
【図４】
2004021021.tif 000006
【図５】
2004021021.tif 000007
【図６】
2004021021.tif 000008